(57)【要約】      （修正有）【課題】簡単な構成で、鉗子等の手術器具が容易に挿入され、手術中及び手術器具の交換時や手術器具を挿入しない場合も、腹腔内の空気の漏洩を防止できる器具挿入口形成体を提供する。【解決手段】手術器具挿入口小２、及び手術器具挿入口中５を適数配した肉厚リング８を有する板状部材１と、この手術器具挿入口小２、及び手術器具挿入口中５の内面には適数の包接シール小３、及び包接シール中６が形成され、手術器具挿入口小２、手術器具挿入口５の腹腔側に、開閉蓋小４、及び開閉盖７を形成している。包接シール小３、及び包椄シール中６と手術器具挿入口形成体の板状部材１に適数を配した手術器具挿入口小２、及び手術器具挿入口中５の間にリブ９を形成したことにより、腹腔内からの空気圧による変形が耐えられると共に、空気漏れが防止できる。【選択図】図１
2012170802.tif 000002
【特許請求の範囲】
【請求項１】
厚肉リングを有する板状部材に異孔径の手術器具挿入口を適数配した手術器具挿入口形成体において、該手術器具挿入口の内側には適数の包接シールが形成され、手術器具挿入口の腹腔側に開閉蓋を形成し、厚肉リングを有する板状部材は薄肉に形成すると共に、該板状部材の適数配した手術器具挿入口の中間部にリブが形成されていることを特徴とする手術器具挿入口形成体。
【請求項２】
上記、異孔径の手術器具挿入口の腹腔側に形成された各々の開閉蓋は、手術器具交換時、あるいは手術器具を挿入しない場合でも、開閉蓋が密着することより、腹腔内の空気漏れが防止できることを特徴する手術器具挿入口形成体。
【請求項３】
上記、異孔径の手術器具挿入口の内側に各々形成した適数の包接シールは、手術器具の作動に追随し、手術器具を包接して腹腔内部からの空気漏れが防止できることを特徴とする手術器具挿入口形成体。
【請求項４】
上記、手術器具挿入口形成体は、可撓性素材で形成すると共に、厚肉リングと手術器具挿入口は膜厚を厚く、板状部材は膜厚を薄く形成したことを特徴とする手術器具挿入口形成体。
【請求項５】
上記、手術器具挿入口形成体は、適数を配した手術挿入口の中間部にリブを形成したことを特徴とする手術器具挿入口形成体。
【発明の詳細な説明】
【技術分野】
【０００１】  本発明は手術器具挿入口形成体に関する。
【背景技術】
【０００２】  単孔式内視鏡手術は、腹壁に一つだけ切開孔を設定するだけで手術するもので傷病者に負担のない手術方法であり、この切開口には、手術用ポートが装着された後に、手術用鉗子等の手術器具を挿入するための手術器具挿入口が装着される。【０００３】  内視鏡手術において、腹腔内の視野確保を目的に腹腔内に空気を充填する気腹法の場合、手術用ポートの手術器具挿入口には、手術器具作動時、手術器具挿入時、手術器具交換時、あるいは手術器具挿入しない場合であっても腹腔内の空気漏れを防止する等の特性が要求される。【０００４】  このような手術用ポートにおける、手術器具挿入口の従来例としては、特許文献１に記載されているものがある。この特許文献１に記載されている医療用器具の手術用ポートは、柔軟で屈曲自在な筒状のポート周面と、その近端部に設けた剛性を有する器具保持部からなるポート本体のポート周面から離れた端部に弾性材から成る外套管を接続した構成であり、このポートに内包される弾性を有する気密弁を設けて気密性を持たせている。
【先行技術文献】
【特許文献】
【０００５】
【特許文献１】  特開２００４−１９５０３７号公報
【発明の概要】
【発明が解決しようとする課題】
【０００６】  しかしながら上記従来の手術用ポートの手術器具挿入口では、その近端部に設けた剛性を有する器具保持部からなるポート本体のポート周面から離れた端部に弾性材から成る外套管を接続した構成であり、このポートに内包される弾性を有する気密弁を設けて気密性を持たせているが、手術器具作動時、手術器具挿入時、手術器具交換時、及び手術器具を挿入しない場合も、腹腔内の空気漏れが防止できない構造である。【０００７】  本発明は上記従来の課題を解決するもので、鉗子等の手術器具が容易に挿入でき、且つ鉗子等の手術器具を作動しても腹腔内からの空気の漏洩を防止することができる。
また、鉗子等の手術器具の交換時や手術器具を挿入しない場合であっても、腹腔内の空気の漏洩を防止できる手術器具挿入口を提供することを目的とする。
【課題を解決するための手段】
【０００８】  本発明では、厚肉リングを有する板状部材に異孔径の手術器具挿入口を適数配した手術器具挿入口形成体において、該手術器具挿入口の内側には適数の包接シールが形成され、手術器具挿入口の腹腔側に開閉蓋を形成し、厚肉リングを有する板状部材は薄肉に形成すると共に、該板状部材の適数配した手術器具挿入口の中間部にリブが形成されていることを特徴とする手術器具挿入口形成体を提案する。【０００９】  また、本発明では、上記、手術器具挿入口の腹腔側に形成された開閉蓋は、手術器具交換時、あるいは手術器具を挿入しない場合でも、開閉蓋が密着することより、腹腔内の空気漏れが防止できることを特徴する手術器具挿入口形成体を提案する。【００１０】  また、本発明では、上記、手術器具挿入口の内側に形成した適数の包接シールは、手術器具の作動に追随し、手術器具を包接して腹腔内部からの空気漏れが防止できることを特徴とする手術器具挿入口形成体を提案する。【００１１】  また、本発明では、上記手術器具挿入口成形体は、可撓性素材で形成すると共に、器具挿入口と厚肉リングは膜厚を厚く形成し、板状部材は、膜厚を薄く形成したことを特徴とする手術器具挿入口形成体を提案する。【００１２】  また、本発明では、上記板状部材に適数を配した手術挿入口の間にリブを形成したことを特徴とする手術器具挿入口形成体を提案する。
【発明の効果】
【００１３】  上述した請求項１〜５に記載の手術器具挿入口形成体は、厚肉リングを有する板状部材に異孔径の手術器具挿入口を適数配した手術器具挿入口形成体において、該手術器具挿入口の内側には適数の包接シールが形成され、手術器具挿入口の腹腔側に開閉蓋を形成し、厚肉リングを有する板状部材は薄肉に形成すると共に、該板状部材の適数配した手術器具挿入口の中間部にリブが形成されている。【００１４】  上記、手術器具挿入口の腹腔側に形成された開閉蓋は、手術器具交換時、あるいは手術器具を挿入しない場合でも、開閉蓋が密着することにより、腹腔内の空気漏れが防止できる。【００１５】  また、手術器具挿入口の内側に形成した適数の包接シールが、手術器具の作動に追随し、手術器具を包接することで、腹腔内部からの空気漏れが防止できる。【００１６】  また、手術器具挿入口形成体は、可撓性素材で形成すると共に、器具挿入口と厚肉リングは膜厚を厚く形成し、板状部材は、膜厚を薄く形成したことにより、手術器具挿入口が手術器具の作動に追随すると共に、包接シールと協働して腹腔内部からの空気漏れが防止できる。【００１７】  また、手術器具挿入口形成体の板状部材に適数を配した手術挿入口の間にリブを形成したことにより、腹腔内からの空気圧による変形が耐えられると共に、薄肉部の補強ができる。
【図面の簡単な説明】
【００１８】
【図１】本発明の構成要素の斜視図である。
【図２】本発明の手術器具挿入口形成体の平面図である。
【図３】本発明の手術器具挿入口の断面図である。
【図４】本発明の手術器具挿入時の作用図である。
【発明を実施するための形態】
【００１９】  以下、本発明の手術器具挿入口形成体の一実施形態について、図１から図４を参照しながら説明する。図１は、本発明の手術器具挿入口形成体の構成要素を示す斜視図であり、本発明の手術器具挿入口形成体は、厚肉リング８を有する板状部材１に異口径の手術器具挿入口小２、及び手術挿入口中５を適数配した手術器具挿入口形成体において、該、手術器具挿入口小２、及び手術挿入口中５の内側には適数の包接シール小３、及び包接シール中６が形成され、手術器具挿入口小２、及び手術挿入口中５の腹腔側に、開閉蓋小４、及び開閉蓋中７を形成している。厚肉リングを有する板状部材は薄肉に形成すると共に、該板状部材の適数配した手術器具挿入口の中間部にリブが形成されている
【００２０】  また、図１、図２、及び図３に示すように手術器具挿入口形成体の手術器具挿入口小２、及び手術器具挿入口中５の腹腔側に形成された開閉蓋小４、及び開閉口中７は、手術器具交換時、あるいは手術器具を挿入しない場合でも、開閉蓋小４、及び開閉蓋７が密着することより、腹腔内の空気漏れが防止できる。
【００２１】  また、図１、図２、及び図３に示すように手術器具挿入口小２、手術器具挿入口中５の内側に形成した適数の包接シール小３、及び包接シール中６が、手術器具の作動に追随し、手術器具を包接することで、腹腔内部からの空気漏れが防止できる。
【００２２】  また、図１と図２、及び図３に示すように手術器具挿入口形成体は、可撓性素材で形成すると共に、手術器具挿入口小２、手術器具挿入口中５と厚肉リング８は膜厚を厚く、板状部材１は、膜厚を薄く形成したことにより、手術器具挿入口小２、及び手術器具挿入口中５が手術器具１０の作動に追随すると共に、包接シール小３、及び包接シール中６と協働して腹腔内部からの空気漏れが防止できる。
【００２３】  また、図１と図２に示すように手術器具挿入口形成体の板状部材１に適数を配した手術器具挿入口小２、手術器具挿入口中５の間にリブ９を形成したことにより、腹腔内からの空気圧による変形が耐えられると共に、薄肉部の補強ができる。
【実施例】
【００２４】  この実施例によれば、手術器具挿入口形成体は、厚肉リングを有する板状部材に異孔径の手術器具挿入口を適数配した手術器具挿入口形成体において、該手術器具挿入口小、及び手術器具挿入口中の内側には適数の包接シール小、及び包接シール中が形成され、手術器具挿入口小、及び手術器具挿入口中の腹腔側に、開閉蓋小、及び開閉蓋中を形成し、厚肉リングを有する板状部材は薄肉に形成すると共に、該板状部材の適数配した手術器具挿入口の中間部にリブが形成されている。
上記、手術器具挿入口小、及び手術器具挿入口中の腹腔側に形成された開閉蓋小、及び開閉扉中は、手術器具交換時、あるいは手術器具を挿入しない場合でも、開閉蓋小、及び開閉扉中が密着することにより、腹腔内の空気漏れが防止できる。
また、手術器具挿入口小、及び手術器具挿入口中の内側に形成した適数の包接シール小、及び包接シール中が、手術器具の作動に追随し、手術器具を包接することで、腹腔内部からの空気漏れが防止できる。
また、手術器具挿入口形成体は、可撓性素材で形成すると共に、手術器具挿入口と厚肉リングは膜厚を厚く形成し、板状部材は、膜厚を薄く形成したことにより、手術器具挿入口が手術器具の作動に追随すると共に、包接シールと協働して腹腔内部からの空気漏れが防止できる。
また、手術器具挿入口形成体の板状部材に適数を配した手術器具挿入口の間にリブを形成したことにより、腹腔内からの空気圧による変形が耐えられると共に、薄肉部の補強ができる。
【産業上の利用可能性】
【００２１】  本発明に係る手術器具挿入口形成体は、内視鏡手術に用いることを主目的としているが、内視鏡手術以外の手術器具挿入口にも利用可能である。
【符号の説明】
【００２２】１．板状部材
２．手術器具挿入口小
３．包接シール小
４．開閉蓋小
５．手術器具挿入口中
６．包接シール中
７．開閉蓋中
８．厚肉リング
９．リブ
１０．手術器具
【図１】
2012170802.tif 000003
【図２】
2012170802.tif 000004
【図３】
2012170802.tif 000005
【図４】
2012170802.tif 000006